(57)【要約】【課題】背もたれに寄り掛って後傾姿勢をとるとき、人体の胸椎部をフレキシブルに柔軟に後傾させることができるようにすることを課題とする。【解決手段】脚１により支持される受台４上に座部３を有するとともに該受台４に側面視略Ｌ形状を有する背フレーム５の前部端を上下方向揺動可能に枢支し、この背フレーム５に背もたれ６を支持してなる背もたれ付きの椅子において、前記背フレーム５の後部立上げ部８の上部位置に前記背もたれ６の人体腰部に対応する部位の背面に当る腰部当接部１０を設けるとともに、前記立上げ部８の上部位置に背支柱９を弾性的に後傾動自在に設け、この背支柱９はその上端部両側に左右方向に延びる背アーム１２，１２を有し、これら背アーム１２，１２の先端を前記背もたれ６の上方部背面左右位置に係着させ、前記背アーム１２，１２を含む背支柱９を介して背もたれ６の上方部が後傾するようにしたことを特徴とする。【選択図】　図１
2004135769.tif 000002
【特許請求の範囲】
【請求項１】
脚により支持される受台上に座部を有するとともに該受台に側面視略Ｌ形状を有する背フレームの前部端を上下方向揺動可能に枢支し、この背フレームに背もたれを支持してなる背もたれ付きの椅子において、前記背フレームの後部立上げ部の上部位置に背支柱を弾性的に後傾動自在に設け、この背支柱はその上端部両側に左右方向に延びる背アームを有し、これら背アームの先端を前記背もたれの上方部背面左右位置に係着させ、前記背アームを含む背支柱を介して背もたれの上方部が後傾するようにしたことを特徴とする背もたれ付き椅子。
【請求項２】
脚により支持される受台上に座部を有するとともに該受台に側面視略Ｌ形状を有する背フレームの前部端を上下方向揺動可能に枢支し、この背フレームに背もたれを支持してなる背もたれ付きの椅子において、前記背フレームの後部立上げ部の上部位置に前記背もたれの人体腰部に対応する部位の背面に当る腰部当接部を設けるとともに前記立上げ部の上部位置に背支柱を弾性的に後傾動自在に設け、この背支柱はその上端部両側に左右方向に延びる背アームを有し、これら背アームの先端を前記背もたれの上方部背面左右位置に係着させ、前記背アームを含む背支柱を介して前記腰部当接部より上部の背もたれの上方部が後傾するようにしたことを特徴とする背もたれ付き椅子。
【請求項３】
前記背支柱は、その下端前部を前記背もたれの人体腰部が当接する位置の背面中央部に軸により後傾動自在に枢支するとともに、前記背フレームの立上げ部に圧縮バネを内蔵し、この圧縮バネの上端に前記背支柱の枢軸より後部位置のバネ受部を当接させ、この圧縮バネにより背支柱が起立方向に付勢されている請求項１記載の背もたれ付き椅子。
【請求項４】
前記圧縮バネの軸線の上端側を前記枢軸に対し離接する方向複数箇所に位置変更可能に形成し、圧縮バネの反力を選択可能とされている請求項３記載の背もたれ付き椅子。
【請求項５】
前記背支柱は、その下端を前記背フレームの立上げ部の上端に軸により後傾動自在に枢支するとともに前記立上げ部に圧縮バネを内蔵し、この圧縮バネの下端に結合したワイヤの上端を前記背支柱の枢軸より斜め前下方へ向け延設されたワイヤ係合部の複数箇所に選択的に係合自在に形成し、このワイヤの上端の係合位置を変更することにより圧縮バネの反力を選択可能とされている請求項１記載の背もたれ付き椅子。
【請求項６】
前記背フレームの立上げ部の上端前部に、前記背もたれの人体腰部が当る部位に向けて突出する腰部当接部を有している請求項５記載の背もたれ付き椅子。
【請求項７】
前記背支柱は、前記背フレームの立上げ部の上端に軸により後傾動自在に枢支するとともに、該枢軸より下位の背支柱下端と前記背もたれとの間に圧縮バネを介装し、前記背支柱の背アームの先端が、前記背もたれの背面に上下方向可動に係着されている請求項１記載の背もたれ付き椅子。
【請求項８】
前記背支柱は、その下端前部を前記背もたれの人体腰部が当接する部位の背面中央部に軸により後傾動自在に枢支し、前記背フレームの上端に弾性体受部を設け、この弾性体受部内にゴム等の弾性体を配設し、この弾性体に前記背支柱の下端に垂設された押圧部を当接させ、前記弾性体の復元力により背支柱が起立方向に付勢されている請求項１記載の背もたれ付き椅子。
【請求項９】
前記背支柱と前記背フレームの立上げ部とを弾性を有する樹脂により一体に形成し、これら背支柱と立上げ部とは前記背もたれの人体腰部が当接する部位の背部位置に伸展方向に弾性を有する屈曲部を設け、この屈曲部の突端が腰部当接部とされている請求項１記載の背もたれ付き椅子。
【請求項１０】
前記背支柱と前記背フレームの立上げ部とを弾性を有する樹脂により形成し、前記立上げ部の上方前部に背もたれの人体腰部が当接する部位の背面に当る腰部当接部を突設し、この腰部当接部より上方位置に伸展方向に弾性を有する屈曲部が設けられている請求項１記載の背もたれ付き椅子。
【発明の詳細な説明】
【０００１】
【発明の属する技術分野】
本発明は椅子に係り、特にオフィスにおいて使用するに適する背もたれ付き椅子に関する。
【０００２】
【従来の技術】
近時オフィスにおいては、コンピュータ操作による執務が日常的となっている。このようなコンピュータ作業は、その性質上椅子に座っての執務姿勢が従来一般の事務作業に比べて異るものとなり、特に後傾姿勢での執務が多くなる。
【０００３】
ところで従来の事務用椅子は、座部に座って背もたれに体重を掛けることにより背もたれ全体が追従して後傾する構成であり、後傾姿勢による執務時には座る人の腰部から背部（胸椎部）にかけての全域が後傾する姿勢となる。
【０００４】
しかして従来一般の事務用椅子では、これに座して後傾姿勢によりコンピュータ作業を行うとき、身体の上半部全体が後方に傾いてしまうので身体の支持が不適切となり、特に背部の胸椎部の動きについての独立した追従ができないためかえって身体に負担が掛ってしまい、早期に疲れを覚え、長時間の執務に耐え得ることができなかった。
【０００５】
そこで背もたれの上半部を下半部に対し後傾させることができるようにした椅子として下記構成のものが提案されている。
【０００６】
すなわち、背もたれを上半部と下半部とに２分して横軸により枢支し、その上半部をバネ付勢に抗して下半部に対し後傾させることができるようになされたものがある（特許文献１参照）。
【０００７】
一方、背もたれの支点をその下方位置と上方位置との２点に分け、背もたれに寄り掛る態勢に応じて背もたれ全体の後傾姿勢がとられるようにした椅子がある（特許文献２参照）。
【０００８】
さらに背もたれの上方位置を支える中央の第１支持装置と、背もたれの下方位置の左右を支える第２支持装置とを共通の横軸で枢支し、背もたれの上方または下方に加わる荷重に応じて前記第１、第２支持装置が回動して座る人の後傾姿勢に追従するようになされたものがある（特許文献３参照）。
【０００９】
【特許文献１】
特開平２−５５００８号公報
【特許文献２】
特開平７−２８９３８４号公報
【特許文献３】
特表平９−５０３１４４号公報
【００１０】
【発明が解決しようとする課題】
しかる上記特許文献１に記載のものでは、背もたれの上半部のみが極端に後傾するので後傾姿勢をとるとき必ずしも背もたれが円滑に後傾せず、座り心地が今ひとつ十分でなく、また上記特許文献２に記載のものでは、背もたれ全体が背もたれ自体の弾性により後傾するので、寄り掛った際に不安定な感じを与え、楽な後傾姿勢を与えることができないという問題がある。
【００１１】
さらに上記特許文献３に記載のものでは、背もたれに偏心した荷重が加わった際に第２支持装置が左右独立して回動することになってぎくしゃくした動きとなり、座り心地が必ずしもよくないという問題点があるうえ、背もたれの上方部は第１支持装置の上端の１点で支持しているので、後傾時における背もたれの上方部の安定性に欠け、さらに第１、第２支持装置の支柱は合計３本を必要としているので、部品点数が多く、コスト的に不利であるとともに耐久性、メンテナンス性に劣るなどの問題点がある。
【００１２】
本発明はこれらに鑑み、背もたれに寄り掛って後傾姿勢をとるとき人体の胸椎部をフレキシブルに柔軟に後傾させることができ、後傾姿勢による執務をスムースに行えるようにすること、および少ない部品点数により安価に提供することを課題としてなされたものである。
【００１３】
【課題を解決するための手段】
上記課題を解決する手段として本発明は、脚により支持される受台上に座部を有するとともに該受台に側面視略Ｌ形状を有する背フレームの前部端を上下方向揺動可能に枢支し、この背フレームに背もたれを支持してなる背もたれ付きの椅子において、前記背フレームの後部立上げ部の上部位置に背支柱を弾性的に後傾動自在に設け、この背支柱はその上端部両側に左右方向に延びる背アームを有し、これら背アームの先端を前記背もたれの上方部背面左右位置に係着させ、前記背アームを含む背支柱を介して背もたれの上方部が後傾するようにしたことを特徴とする。
【００１４】
こうしたことにより、背もたれに寄り掛ったとき背フレームの後傾回動により背もたれ全体が後傾し、かつ背もたれの上方部は背フレームの立上げ部の上端から立ち上がる背支柱の後傾動、および背アームの撓みにより無理なく身体の動きに追従して後傾し、安定した後傾姿勢をとることができる。
【００１５】
請求項２記載の発明は、前記立上げ部の上部位置に前記背もたれの人体腰部に対応する部位の背面に当る腰部当接部を設けたことにある。
【００１６】
請求項３記載の発明は、前記背支柱の下端前部を前記背もたれの人体腰部が当接する位置の背面中央部に軸により後傾動自在に枢支するとともに、前記背フレームの立上げ部に圧縮バネを内蔵し、この圧縮バネの上端に前記背支柱の枢軸より後部位置のバネ受部を当接させ、この圧縮バネにより背支柱を起立方向に付勢したことにある。
【００１７】
請求項４記載の発明は、前記圧縮バネの軸線の上端側を前記枢軸に対し離接する方向複数箇所に位置変更可能に形成し、圧縮バネの反力を選択可能としたことにある。
【００１８】
請求項５記載の発明は、前記背支柱の下端を前記背フレームの立上げ部の上端に軸により後傾動自在に枢支するとともに前記立上げ部に圧縮バネを内蔵し、この圧縮バネの下端に結合したワイヤの上端を前記背支柱の枢軸より斜め前下方へ向け延設されたワイヤ係合部の複数箇所に選択的に係合自在に形成し、このワイヤの上端の係合位置を変更することにより圧縮バネの反力を選択可能としたことにある。
【００１９】
請求項６記載の発明は、前記背フレームの立上げ部の上端前部に、前記背もたれの人体腰部が当る部位に向けて突出する腰部当接部を突設したことにある。
【００２０】
請求項７記載の発明は、前記背支柱を、前記背フレームの立上げ部の上端に軸により後傾動自在に枢支するとともに、該枢軸より下位の背支柱下端と前記背もたれとの間に圧縮バネを介装し、前記背支柱の背アームの先端を前記背もたれの背面に上下方向可動に係着したことにある。
【００２１】
請求項８記載の発明は、前記背支柱の下端前部を前記背もたれの人体腰部が当接する部位の背面中央部に軸により後傾動自在に枢支し、前記背フレームの上端に弾性体受部を設け、この弾性体受部内にゴム等の弾性体を配設し、この弾性体に前記背支柱の下端に垂設された押圧部を当接させ、前記弾性体の復元力により背支柱を起立方向に付勢したことにある。
【００２２】
請求項９記載の発明は、前記背支柱と前記背フレームの立上げ部とを弾性を有する樹脂により一体に形成し、これら背支柱と立上げ部とは前記背もたれの人体腰部が当接する部位の背部位置に伸展方向に弾性を有する屈曲部を設け、この屈曲部の突端を腰部当接部としたことにある。
【００２３】
請求項１０記載の発明は、前記背支柱と前記背フレームの立上げ部とを弾性を有する樹脂により形成し、前記立上げ部の上方前部に背もたれの人体腰部が当接する部位の背面に当る腰部当接部を突設し、この腰部当接部より上方位置に伸展方向に弾性を有する屈曲部を設けたことにある。
【００２４】
いずれにおいても、圧縮バネ（弾性体）のクッション性により、背もたれの後傾動時の感触がよいとともに、背支柱の上端両側に延びる背アームにより背もたれの上半部（胸椎部位）の捩れに追従するので使用者に無理なくなじみ、また腰部当接部を設けることにより、人体の腰部の当たりを柔げて後傾動時における人体腰部の感触をよくすることができ、これらの総合により座り心地がよく、執務を楽な姿勢で行うことができる。
【００２５】
【発明の実施の形態】
以下、本発明を図面に示す実施の形態を参照して説明する。
【００２６】
図１は本発明による背もたれ付き椅子の基本的実施形態の一部を断面とした側面図を示し、図２は図１の脚を図示省略した背面図を、図３は同平面図を示している。
【００２７】
上記背もたれ付き椅子の基本構成は、キャスタ付きの脚１に支持された支柱２に回転自在に支持され上部に座部３を有する受台４と、この受台４に後傾動自在に枢支された背フレーム５と、背もたれ６とを具備している。
【００２８】
前記背フレーム５は、側面視略Ｌ形状を有し、この背フレーム５の前端近くが前記受台４の前部寄りの下部に軸７により後傾動自在に枢支され、背フレーム５の後部の立上げ部８は背もたれ６の背面幅方向中央に位置してその上端は背もたれ６の人体腰部が当る腰部位置ａまで立ち上げられている。
【００２９】
前記背フレーム５の立上げ部８の上方位置には背支柱９が設けられている。
【００３０】
この背支柱９は、アルミ材等の剛性を有する資材からなっており、前記背もたれ６の前記腰部位置ａの背後に位置する前記立上げ部８の上端から前方へ向け延びる腰部当接部１０に前記背支柱９の下端から前方へ延びる取付部９ａの先端が軸１１により後方へ回動可能に枢支されている。
【００３１】
上記背支柱９の上端の左右部には、図２、図３にみられるように略水平方向に左右の背アーム１２，１２が左右対称に延設されており、これら背アーム１２，１２の先端は背もたれ６の背板１３の上方位置（胸椎部相当位置）の左右部に若干の動きを許容し得るように係着されている。この係着手段としては、背アーム１２，１２の先端に突設したピン（図示省略）を背もたれ６の背板１３に埋設されたゴム等の弾性体からなるピン受１４，１４に挿着し、この弾性体の変形により動きを許容するようにすることができる。なおこの係着手段は背アーム１２，１２の若干の動きを許容し得れば他の手段であってもよい。
【００３２】
前記背フレーム５の立上げ部８は中空構造とされており、この立上げ部８内に圧縮バネ１５が内装されている。この圧縮バネ１５は、背フレーム５の下面側から立上げ部８内に挿通されたバネ圧調整軸１６の内端のバネ座１７と摺動用部材１８との間に介装され、この摺動用部材１８の半球面状を有する先端部が前記背支柱９の前記軸１１より後部側に設けられた下向きのバネ受部１９に圧接されている。
【００３３】
したがって背支柱９が後傾動するとき前記バネ受部１９を介して圧縮バネ１５を撓ませることで背もたれ６の腰部位置ａより上方部の後傾時のクッション性が与えられる。そして前記バネ圧調整軸１６の下端のつまみ２０を回動することにより前記バネ座１７をネジ（図示省略）により進退させることができるようになっており、このバネ座１７の位置を選択することによって前記のクッション性を最適に設定することができる。
【００３４】
前記背もたれ６の背板１３は、図２にみられるように前記腰部位置ａにおいて横方向に長い打ち抜き孔２１が形成されており、その孔２１の両側の部分１３ａ，１３ａで背もたれ６の上方部の後傾時に曲がりやすくされている。
【００３５】
図１、図２において符号２２は前記打ち抜き孔２１の部分を被覆する化粧板、２３は背フレーム５の後傾時における負荷値を調整すべく周知のバネ（図示せず）のバネ圧調整用つまみである。
【００３６】
次に上記実施形態の作用を説明する。
【００３７】
背もたれ付き椅子に座らない不使用時には、図１に示すように圧縮バネ１５による付勢により圧縮バネ１５の上端の摺動用部材１８の上端が背支柱９のバネ受部１９を押し上げるので背支柱９は起立方向へ付勢され、これにより背もたれ６が起立姿勢におかれる。
【００３８】
背もたれ付き椅子に座り、背中を背もたれ６に寄り掛って体重を掛けると、通常では背フレーム５が軸７を支点に後傾回動して背もたれ６全体が後傾し、リクライニング姿勢をとることができる。
【００３９】
上記姿勢からさらに背もたれ６に寄り掛って安楽姿勢をとると、人体の腰部が当る部分（腰部位置ａ）は立上げ部８の腰部当接部１０により支えられ、それより上方の背もたれ６の上半部が背支柱９の枢軸１１を支点として後傾し、その背支柱９のバネ受部１９が圧縮バネ１５を撓ませながら後傾する。このときバネ受部１９は圧縮バネ１５の上端の摺動用部材１８に対し摺動して背支柱９の後傾動を許容する。
【００４０】
上記背もたれ６の上半部の後傾具合いに関しては、つまみ２０を回動してバネ座１７の位置を変え、圧縮バネ１５の弾発力を調整することにより使用者の好みに合う状態に設定することができる。
【００４１】
上記のような安楽姿勢をとって執務するとき、人体の腰が当る部分は腰部当接部１０によって撓みが規制されるので不自然な体形になることがなく、また胸椎部分は背支柱９の左右の背アーム１２，１２によって支えられるので背もたれ６の上半部の左右への捩れを許容しつつ後傾し、最も楽な姿勢を保つことができる。加えて肩甲骨部位も左右の背アーム１２，１２のそれぞれの撓みにより微妙な身体の動きに背もたれ６の上半部が追従するので疲れを感じさせることがない。
【００４２】
図４は上記実施形態の変形例を示すもので、圧縮バネ１５の上部中心に挿通するロッド２４のバネ座２４ａと、立上げ部８の軸受部２５に揺動可能に支持されたバネ座２６の間に圧縮バネ１５が介装されている。
【００４３】
そして上記ロッド２４の上端は、図４（Ｂ）に拡大して示すように、背支柱９の下端の前方に向けて屈曲した形態の取付部９ａに上下に貫通した長孔９ｂに挿通されてその上部に突出されており、前記バネ座２６の上面に突設された凸部２４ｂが前記取付部９ａの長孔９ｂの長さの範囲内の下面に列設された複数の凹部２７，２７…の一つに係合させることができるようになっている。２８はその係合位置を変える際の操作用つまみを示す。
【００４４】
図４において図１〜図３と共通する部材にはこれと同一符号を付すに留め、詳細な説明は省略する。
【００４５】
この実施形態によれば圧縮バネ１５の作用点が背支柱９の後傾時に支点となる枢軸１１からの距離により変化するので、前記凹部２７，２７…を選択することにより安楽姿勢時における背もたれ６の上半部のクッション性を最適な状態に設定することができる。
【００４６】
図５はさらに他の変形例を示すもので、背支柱９の下端部が立上げ部８の上端位置に軸１１により後傾動自在に枢支され、この背支柱９の枢軸１１より下方に斜め前下方へ向け延長されたワイヤ係合部９ｃが形成されており、このワイヤ係合部９ｃの上面には複数の凹部２９，２９…が列設されている。
【００４７】
一方、立上げ部８に内装される圧縮バネ１５の下端を支える上下動が可能なバネ受３０にワイヤ３１の下端が結着され、このワイヤ３１は図５（Ｂ）に拡大して示すように前記ワイヤ係合部９ｃの凹部２９，２９…が設けられる範囲に形成された長孔９ｄに挿通され、ワイヤ３１の上端に固着された係合片３２が前記凹部２９，２９…の一つの選択的に係合させることができるようになっている。そして上記ワイヤ３１の途中部は、立上げ部８に固設のピン３３の側面を経由し、前記係合片３２をいずれの凹部２９，２９…に係合させてもピン３３より下方のワイヤ３１の位置が変動しないようになされている。
【００４８】
この実施形態においては、腰部当接部１０は立上げ部８の上端前側に一体に設けた部材により構成されている。
【００４９】
この実施形態によれば、ワイヤ３１の係合片３２を背支柱９の枢軸１１から離れた位置の凹部２９に係合させれば軸１１から作用点の距離が長くなるとともに圧縮バネ１５の圧縮量も多くなるので、背もたれ６の上半部の後傾動時のクッション性が堅くなり、逆に枢軸１１に近い位置の凹部２９に係合片３２を係合させれば作用点の距離が短くなるとともに圧縮バネ１５の圧縮量も少なくなり、背もたれ６の上半部のクッション性が柔らかくなる。
【００５０】
したがって係合片３２を引っ張っていずれかの凹部２９，２９…に嵌め替えるだけで最適な安楽姿勢をとれるようにすることができる。
【００５１】
図６〜図８は本発明の他の実施形態を示すもので、図６（Ａ）は側面図、同（Ｂ）は背面図、図７は作用を示している。
【００５２】
上記背フレーム５の立上げ部８の上端には背支柱９の下端が軸１１により後方へ回動を許容するように枢支されており、この背支柱９の上端の左右部には弾性を有する資材からなる左右の背アーム１２，１２が左右対称に延設され、これら背アーム１２，１２の先端は背もたれ６の背板１３の上方位置（胸椎部相当位置）の左右部に上下方向摺動可能に係合されている。
【００５３】
前記背フレーム５の立上げ部８の上端位置には腰部当接部１０が設けられ、この腰部当接部１０は背もたれ５の腰部位置ａの背面に当接されている。この腰部当接部１０は、ゴム、発泡樹脂等の弾性体を介して背もたれ５の腰部位置ａの背面に弾性的に当接するようにすることが後傾姿勢をとる際の当りを柔げるうえで好ましい。
【００５４】
前記背支柱９の下端は図８に示すように前記背フレーム５の立上げ部８の内側に延在され、この延在する延長部９ｅと腰部当接部１０との間に圧縮バネ３４が介装されており、前記腰部当接部１０から延長部９ｅ、立上げ部８を貫通する調整ネジ３５のつまみ３６を回動することにより圧縮バネ３４の撓み量を加減して背支柱９の後傾動時の負荷値を調整可能とされている。
【００５５】
前記背もたれ６は、樹脂成形品からなる背板１３と、この背板１３に添設されるクッションとで構成されるが、前記背板１３の前記腰部位置ａ相当の位置から胸椎部ｂ相当の位置までの所要範囲に横方向にスリット３７，３７…が複数条設けられ、このスリット３７，３７…が設けられている範囲において背もたれ６が後方へ屈曲可能とされている。
【００５６】
前記背支柱９の背アーム１２，１２の先端と背もたれ６の背板１３との摺動係合に関しては、図示の例では背もたれ６の背面左右端近くに設けられた縦方向の長孔３８，３８と、前記背アーム１２，１２の先端に設けられたスライダ３９，３９との係合により上下方向にスライド自在とされている。しかしこの摺動係合については必ずしも長孔３８とスライダ３９とによらず、背アーム１２，１２の先端にシューを設けて背もたれ６の背面に弾性的に当接させることにより摺動するようにしてもよい。
【００５７】
他の図１〜図３と共通する部材にはこれと同一符号を付すに留め、詳細な説明は省略する。
【００５８】
次に上記実施形態の作用を説明する。
【００５９】
背もたれ付き椅子に座らない不使用時には図６（Ａ）、図８（Ａ）に示すように背フレーム５の内蔵バネの作用を受けて軸７を支点に図６（Ａ）において反時計方向に回動した状態におかれ、また背支柱９は圧縮バネ３４の付勢により直立状態におかれている。
【００６０】
背もたれ付き椅子に座り、背中を背もたれ６に寄り掛って体重を掛けると、通常では背フレーム５が後傾回動して背もたれ６全体が図７に実線で示すように後傾し、リクライニング姿勢をとることができる。
【００６１】
上記姿勢からさらに背もたれ６に寄り掛って安楽姿勢をとると、人体の腰部が当る部分（腰部位置ａ）は腰部当接部１０により支えられ、背もたれ６の上半部が背支柱９を軸１１を中心に圧縮バネ３４の付勢に抗して後傾することにより図７に符号Ｒで示すように後傾する。この背もたれ６の上半部の後傾動に際しては、背アーム１２，１２の先端のスライダ３９，３９と背もたれ６の長孔３８，３８との摺動によって後傾動が許容される。
【００６２】
また背もたれ６の上方部の左右への撚れが加わったときは、背アーム１２，１２が撓むことにより許容される。
【００６３】
上記の背もたれ６の上半部の後傾具合いに関しては、つまみ３６を回動して圧縮バネ３４の弾力を調整することにより使用者の好みに合う状態に設定することができる。
【００６４】
このように安楽姿勢をとって執務するとき、人体の腰の部分は背もたれ６が撓まず、腰部当接部１０により固定されるので不自然な体形になることがなく、胸椎部位ｂは自由に後傾するので最も楽な姿勢を保つことができる。また肩甲骨部位は左右の背アーム１２，１２のそれぞれの撓みにより微妙な身体の動きに背もたれ６の上半部が追従するので疲れを感じさせることがない。
【００６５】
図９は本発明のさらに他の実施形態を示すもので、背支柱９の下端から前方へ向け屈曲されて延長された取付部９ａの先端が立上げ部８の前方へ向け屈曲されて腰部当接部１０となる部分に軸１１により後傾動自在に枢支されている。
【００６６】
上記背支柱９の枢軸１１より後方位置の下部に押圧部４０が垂設されており、また立上げ部８の腰部当接部１０の上面には凹陥状の弾性体受部４１が設けられていて、この弾性体受部４１内にゴム等の弾性体４２が固着され、この弾性体４２の後部面に背支柱９の前記押圧部４０が当接するように構成されている。
【００６７】
したがって背もたれ６の上半部を後傾させたとき背支柱９が枢軸１１を支点として後傾回動し、そのとき背支柱９の押圧部４０が弾性体４２を押圧して変形させることによりクッション性が与えられる。
【００６８】
図１０は図９に示した実施形態における背支柱９の押圧部４０を水平に近い形態とし、背支柱９の後傾回動時に弾性体４２が上方から押されるようにしたものである。
【００６９】
さらに図１１は、弾性体受部４１を立上げ部８の上端内部に設け、背支柱９の押圧部４０を垂直に近い形態として、背面側から弾性体４２が押圧されるようになされたものである。
【００７０】
これら図９〜図１１において、図１〜図３と共通する部材にはこれと同一符号を付すに留め、詳細な説明は省略する。
【００７１】
図１２、図１３は、背フレーム５の立上げ部８と背支柱９とに弾性に富む樹脂により一体に形成したもので、図１２では背もたれ６の腰部位置ａで前方に向け突出するようにＶ形に屈曲させ、その屈曲部４３の先端が腰部当接部を構成するようになっており、またその屈曲部４３の弾性により背もたれ６の上半部のクッション性が与えられるようになされている。
【００７２】
図１３では屈曲部４３を腰部位置ａより上方の位置に設け、腰部位置ａに立上げ部８から前方に向け突設された腰部当接部１０が位置するようになされている。
【００７３】
これら図１２、図１３においては、前記図１〜図３と共通する部材にこれと同一符号を付すに留める。
【００７４】
【発明の効果】
以上説明したように本発明によれば、背もたれに寄り掛ったとき背フレームの後傾回動により背もたれ全体が後傾し、かつ背もたれの上方部は背フレームの立上げ部の上端から立ち上がる背支柱の後傾動および背アームの撓みにより無理なく身体の動きに追従して後傾し、安定した安楽姿勢をとることができる。
【００７５】
背もたれの腰部位置を背フレームの立上げ部上端の腰部当接部で支えるようにすれば、背もたれ全体が後傾してしまうことがなく、よく身体にフィットして楽な形で後傾姿勢をとることができる。
【図面の簡単な説明】
【図１】本発明による背もたれ付き椅子の一実施形態を示す一部を断面とした側面図。
【図２】同、脚を除去した背面図。
【図３】同、平面図。
【図４】図１の変形例を示し、（Ａ）は図１相当図、（Ｂ）は要部の拡大図。
【図５】図１のさらに他の変形例を示し、（Ａ）は図１相当図、（Ｂ）は要部の拡大図。
【図６】本発明の他の実施形態を示し、（Ａ）は側面図、（Ｂ）は背面図。
【図７】同、作用を示す説明図。
【図８】（Ａ）、（Ｂ）は図７の要部の作用を示す断面図。
【図９】本発明の他の実施形態を示す側面図。
【図１０】図９の変形例を示す側面図。
【図１１】図９のさらに他の変形例を示す側面図。
【図１２】本発明の他の実施形態を示す側面図。
【図１３】図１２の変形例を示す側面図。
【符号の説明】
３　座部
４　受台
５　背フレーム
６　背もたれ
８　立上げ部
９　背支柱
１０　腰部当接部
１２　背フレーム
１３　背板
１５　圧縮バネ
１６　バネ圧調整軸
１８　摺動用部材
１９　バネ受部
２４　ロッド
２６　凸部
２７，２９　凹部
３１　ワイヤ
３２　係合片
３３　ピン
３４　圧縮バネ
３８　長孔
３９　スライダ
４０　押圧部
４１　弾性体受部
４２　弾性体
４３　屈曲部
【図１】
2004135769.tif 000003
【図２】
2004135769.tif 000004
【図３】
2004135769.tif 000005
【図４】
2004135769.tif 000006
【図５】
2004135769.tif 000007
【図６】
2004135769.tif 000008
【図７】
2004135769.tif 000009
【図８】
2004135769.tif 000010
【図９】
2004135769.tif 000011
【図１０】
2004135769.tif 000012
【図１１】
2004135769.tif 000013
【図１２】
2004135769.tif 000014
【図１３】
2004135769.tif 000015